(57)【要約】【課題】ロール状物品のコアにシャフトを挿入してハンドリングを行う従来の方法において，人手によるものでは，シャフトが長尺で重いため作業者に大きな負担が掛かると共に着脱に際してコアを破損したり，切り屑を生じて物品の品質に影響を与える等の課題があり，自動機械によるハンドリングでは高いイニシャル投資と広いスペースが必要であるという課題があった。【解決手段】本発明では，台車５上に，側部の仕切７により区画された保管部８を構成し，保管部を区画する仕切の一部に内外の連通部１１を形成すると共に，連通部の前方左右方向にハンドリング用シャフトの運動用空間部１２を構成し，運動用空間部の一端側上部には，ハンドリング用シャフトの支持ローラー１４を設けた構成のロール状物品のコアに挿入するハンドリング用シャフトの着脱補助装置を提案する。【選択図】図２
2007284175.tif 000002
【特許請求の範囲】
【請求項１】
台車上に，側部の仕切により区画された保管部を構成し，保管部を区画する仕切の一部に内外の連通部を形成すると共に，連通部の前方左右方向にハンドリング用シャフトの運動用空間部を構成し，運動用空間部の一端側上部には，ハンドリング用シャフトの支持ローラーを設けたことを特徴とするロール状物品のコアに挿入するハンドリング用シャフトの着脱補助装置。
【請求項２】
台車上に，側部の仕切により区画された保管部を構成し，保管部を区画する仕切の一部に内外の連通部を形成すると共に，連通部の前方左右方向にハンドリング用シャフトの運動用空間部を構成し，運動用空間部の一端側上部には，ハンドリング用シャフトの支持ローラーを設けた着脱補助装置の本体と，ロール状物品のコア内を走行可能な台車部にハンドリング用シャフト固定用のクランプを設けた端部支持台車とから構成したことを特徴とするロール状物品のコアに挿入するハンドリング用シャフトの着脱補助装置。
【請求項３】
支持ローラーの両側上方に案内部を突設したことを特徴とする請求項１又は２に記載のロール状物品のコアに挿入するハンドリング用シャフトの着脱補助装置。
【発明の詳細な説明】
【技術分野】
【０００１】
本発明は，紙や樹脂フィルム等のように，コア（芯）に巻かれてロール状に形成されたロール状物品のコアに挿入するハンドリング用シャフトを着脱するための装置に関するものである。
【背景技術】
【０００２】
紙や樹脂フィルム等のロール状物品は，搬送や保管において，その形状から，以下に示すようなハンドリング方法を用いるのが一般的である。
１．まず第１の方法として，コアの両端を支持する支持部を設けたパレットに積載してハンドリングする方法があり，この方法は，パレットにコストが掛かると共に，空パレットの搬送が必要である。
２．また第２の方法として，コアの両端を直接的にハンドリング手段により支持してハンドリングする方法があり，この方法では，コアの突出長が短い場合には安定に搬送ができず，採用が困難である。
３．また第３の方法として，コアの部分でなく，紙や樹脂フィルム等の物品自体を支持してハンドリングする方法があり，この方法では物品自体に荷重が加わるため，物品によっては品質に影響してしまうため採用できない。
４．また第４の方法として，コアにハンドリング用のシャフトを挿入し，コアの両端から突出したシャフトの両端を支持してハンドリングする方法があり，この方法は，コスト，搬送の安定性，製品の品質への影響等の観点から，上記３つの方法と比較して有利であるため，従来から多く採用されている。
【０００３】
そして，この第４の方法では，ロール状物品のコアに対してのハンドリング用のシャフトの挿着と脱着を人手によって行う方法と，自動機械によって挿着と脱着を行う方法がある。
【０００４】
従来の自動機械として，例えば特許文献１には，自動倉庫に隣接して設けられ、ロールを積載したパレットを搬送する搬送コンベヤと、該搬送コンベヤからパレットを送給され、搬送コンベヤにパレットを送出するように連結された装着位置コンベヤおよび脱着位置コンベヤと、該装着位置コンベヤと脱着位置コンベヤとに縦列配置され、シャフト保管パレットを待機させる待機用コンベヤと、前記装着位置コンベヤおよび脱着位置コンベヤと待機用コンベヤとに平行して配置され、その間を移動可能とし、待機用コンベヤ上のシャフト保管パレットからシャフトを引き抜き、該シャフトを装着位置コンベヤ上のパレットに積載されたロールに装着するシャフト自動装着機と、脱着位置コンベヤ上のパレットに積載されたロールよりシャフトを脱着し、該シャフトを待機用コンベヤ上のシャフト保管パレットに保管するシャフト自動脱着機と、装着位置に配置した待機用コンベヤと脱着位置に配置した待機用コンベヤとの間を横方向に移動し、シャフト保管パレットを受け渡し可能としたトラバーサとを設けたロールシャフト着脱装置が記載されている。
【特許文献１】特開２００１−３３５１１３号公報
【発明の開示】
【発明が解決しようとする課題】
【０００５】
ロール状物品は，例えばその重量が１トン程度あり，このようなロール状物品のコアに挿入するハンドリング用シャフトは，長さが２ｍ以上，重量が１０ｋｇ以上となる。
【０００６】
従来は，上述したとおり，芯に対してのハンドリング用シャフトの挿着及び脱着を人手により行うか，自動機械によって行っており，人手によるハンドリングでは，ハンドリング用シャフトが長尺で重いため，作業者に大きな負担が掛かると共に，ハンドリング用シャフトの挿着及び脱着に際して，コアを破損したり，切り屑を生じて物品の品質に影響を与える等の課題があった。一方，自動機械によるハンドリングでは，高いイニシャル投資と広いスペースが必要であるという課題があった。
本発明は，以上の課題を解消し，高いイニシャル投資と広いスペースを不要とすると共に，作業者に対しての負担を軽減し，しかも切り屑等による物品の品質への影響を排除することを目的とするものである。
【課題を解決するための手段】
【０００７】
上述した課題を解決するために本発明では，台車上に，側部の仕切により区画された保管部を構成し，保管部を区画する仕切の一部に内外の連通部を形成すると共に，連通部の前方左右方向にハンドリング用シャフトの運動用空間部を構成し，運動用空間部の一端側上部には，ハンドリング用シャフトの支持ローラーを設けたロール状物品のコアに挿入するハンドリング用シャフトの着脱補助装置を提案する。
【０００８】
また本発明では，台車上に，側部の仕切により区画された保管部を構成し，保管部を区画する仕切の一部に内外の連通部を形成すると共に，連通部の前方左右方向にハンドリング用シャフトの運動用空間部を構成し，運動用空間部の一端側上部には，ハンドリング用シャフトの支持ローラーを設けた着脱補助装置の本体と，ロール状物品のコア内を走行可能な台車部にハンドリング用シャフト固定用のクランプを設けた端部支持台車とから構成したロール状物品のコアに挿入するハンドリング用シャフトの着脱補助装置を提案する。
【０００９】
そして本発明では，以上の構成において，支持ローラーの両側上方に案内部を突設することを提案する。
【発明の効果】
【００１０】
本発明の着脱補助装置は，台車上に構成した保管部に複数本のハンドリング用シャフトを立てた状態で保管することができ，そして保管されている複数本のハンドリング用シャフトを台車により，ロール状物品が支持されているハンドリング場所に移動することができる。
【００１１】
所定のハンドリング場所において，作業員は着脱補助装置を操作して，運動用空間部の一端側上部に設けた支持ローラーによるハンドリング用シャフトの移動方向をロール状物品のコアの軸方向に合わせて停止する。
【００１２】
次いで，作業員は保管部に保管されているハンドリング用シャフトを横方向に動かして連通部を経て運動用空間部に出した後，傾けて上側を支持ローラーに載せ，この状態で下側を持ち上げ，支持ローラーにより前方に送り出す。
【００１３】
この作業により，ハンドリング用シャフトはロール状物品のコア内に挿入されて，コア内を移動し，先端側の所定長さがコアの外側に突出した状態とすることができる。
【００１４】
この後，着脱補助装置をロール状物品側から後退させることにより，ロール状物品を，コア内にハンドリング用シャフトが挿入された所定のハンドリング可能状態とすることができる。
【００１５】
上述したようにハンドリング用シャフトをロール状物品のコア内に挿入してコア内を移動する際，ハンドリング用シャフトの先端側を，コア内を走行可能な端部支持台車に固定して支持する構成とすれば，移動に際しての所要力を大幅に軽減すると共に，ハンドリング用シャフトの先端によるコアの内面の損傷を防止することができる。
【００１６】
このような端部支持台車としては，例えば，台車部にハンドリング用シャフト固定用のクランプを設けた構成とし，コアに挿入する前にハンドリング用シャフトの先端側をクランプを以て固定し，所定の挿入後にクランプを操作して外せば良い。
【００１７】
支持ローラーの両側上方に案内部を突設した構成では，上述した作業においてハンドリング用シャフトが支持ローラー上から落下するのを防止することができる。
【００１８】
以上に説明した作業は，着脱補助装置の保管部に保管されているハンドリング用シャフトをロール状物品のコアに挿入する作業であるが，ロール状物品のコアに挿入されているハンドリング用シャフトを，コアから抜いて保管部に立てた状態に保管する作業は，後述するように，以上の作業と逆の流れで行うことができる。
【発明を実施するための最良の形態】
【００１９】
次に，本発明に係る着脱補助装置の実施の形態を添付図面を参照して説明する。
まず図１は本発明の着脱補助装置を適用するロール状物品のハンドリング方法を模式的に示すもので，（ａ）は一部を縦断面とした説明図，（ｂ）は（ａ）のＡ−Ａ線断面図である。符号１は紙や樹脂フィルム等のロール状物品で，２はコアである。このようなロール状物品１は，上述したとおり，コスト，搬送の安定性，製品の品質への影響等の観点から，コア２にハンドリング用シャフト３を挿入し，コア２の両端から突出したハンドリング用シャフト３の両端を，クレーンその他のハンドリング手段４により支持して搬送したり，保管することが従来から多く行われている。
【００２０】
図２〜図５は本発明における着脱補助装置の本体を示すもので，図２は斜視図，図３は正面図，図４は右側面図，図５は平面図である。
符号５はキャスター等の車輪６を設けて移動可能とした台車であり，この台車５上に，側部の仕切７によって区画された保管部８を構成している。この実施の形態では，仕切７は，フレーム９と網１０により構成しているが，板体で構成することもできる。尚，網１０は，図において便宜的に一部のみを表示しているが，フレーム９の全面に構成されている。
【００２１】
図に示すように保管部８を区画する仕切７の一部には，保管部８の内外を連通する連通部１１を形成しており，この連通部１１の前方左右方向にハンドリング用シャフト３の運動用空間部１２を構成している。また運動用空間部１２の一端側，この場合，図２，図３又は図５における図中左側の上部には，フレーム１３により支持ローラー１４を支持している。この実施の形態では，支持ローラー１４は３連のフリーローラーとして構成している。そして支持ローラー１４の両側上方には案内部１５としての板体が突出している。また連通部１１の前方側には，運動用空間部１２を隔てて仕切１６を立設しており，この仕切１６も，他の仕切７と同様にフレーム９と網１０とから構成している。
【００２２】
以上の構成において，図６に示すようにハンドリング又は搬送手段１７に，コア２を以て支持されているロール状物品１のコア２から，挿入されているハンドリング用シャフト３を抜き取って保管部８に保管する作業の流れの一例を以下に説明する。
【００２３】
まず着脱補助装置の本体を台車５により走行させてロール状物品１が搬送手段等１７に支持されている場所に移動する。そして支持ローラー１４を設けている側をロール状物品１の方向に向け，支持ローラー１４によるハンドリング用シャフト３の移動方向をロール状物品１のコア２の軸方向に合わせて停止する。車輪６にはストッパー機構（図示省略）を設けて，作業中に台車５が移動しないようにロックする。
【００２４】
次いで図６に示すように，着脱補助装置から離れている側のハンドリング用シャフト３の端部側に端部支持台車１９を固定し，また着脱補助装置側のハンドリング用シャフト３の端部側を支持ローラー１４上に乗せる。
【００２５】
ここで，端部支持台車１９は，図７，図８に示すように台車部２０にハンドリング用シャフト３を固定するためのクランプ２１を設けた構成であり，台車部２０は，等辺山形状の基体２２の２辺の外方にボールキャスター２３を取り付けた構成としている。一方，クランプ２１は，図８の実線に示すように基体２２の２辺と共にハンドリング用シャフト３を囲んで保持し，適宜の解除操作によりハンドリング用シャフト３の保持を解除する適宜の機構を採用することができる。
【００２６】
こうしてハンドリング用シャフト３の一端側を支持ローラー１４上に乗せ，他端側に端部支持台車１９を固定した状態において，図９に示すように作業員はハンドリング用シャフト３を図中右方向に動かして次第にコア２から抜いて行く。この作業では，ハンドリング用シャフト３は一端側が支持ローラー１４により支持されていると共に他端側が端部支持台車１９に支持されているため，非常に軽い力で作業を行うことができる。
【００２７】
ハンドリング用シャフト３を次第にコア２から抜いて行き，例えば図１０の状態まで抜いた後，着脱補助装置の車輪６のストッパー機構のロックを解除して，台車５を移動可能として，着脱補助装置をロール状物品１から後退させることにより，ハンドリング用シャフト３を完全にコア２から抜くことができ，この状態において端部支持台車１９を外して，図１１の状態とすることができる。この図１１の状態においては，ハンドリング用シャフト３は着脱補助装置の運動用空間部１２に位置する。
【００２８】
図１１の状態において作業員は，次にハンドリング用シャフト３を支持しながら，運動用空間部１２において支持ローラー１４を支点として図中時計回りに回転させ，下端が台車５の上面に当接したら，今度は当接した端部を支点として回転することにより，図１３に示すようにハンドリング用シャフト３を運動用空間部１２内において立った状態とすることができる。
【００２９】
次いで立った状態のハンドリング用シャフト３をずらして，連通部１１を通って保管部８内に移動することにより，ハンドリング用シャフト３を保管部８内に立った状態で保管することができる。
【００３０】
以上の作業を繰り返して行うことにより，保管部８内に複数本のハンドリング用シャフト３を立った状態で保管することができ，この際，複数本のハンドリング用シャフト３は，両端にフック部を設けたゴムバンド（図示省略）等で纏めてフレーム９に支持することにより，安全に保管を行うことができる。
【００３１】
以上に説明した作業は，ロール状物品１のコア２に挿入されているハンドリング用シャフト３をコア２から抜いて，着脱補助装置の保管部８に立てた状態に保管する作業であるが，着脱補助装置の保管部８に保管されているハンドリング用シャフト３をロール状物品１のコア２に挿入する作業は，上述したとおり，以上の作業と逆の流れで行うことができる。
【００３２】
以上の実施の形態においては，ハンドリング用シャフト３をロール状物品１のコア２内に移動する際に，その先端側を，コア２内を走行可能な端部支持台車１９に固定して支持する構成としているので，この実施の形態においては，ハンドリング用シャフト３の移動に際しての所要力を大幅に軽減すると共に，ハンドリング用シャフト１の先端によるコア２の内面の損傷を防止することができる。
【００３３】
しかしながら他の実施の形態として，ハンドリング用シャフト３の端部を低摩擦性の部材で覆うことにより，移動に際しての所要力を軽減するようにして，端部支持台車１９を使用しないようにすることも可能である。
【００３４】
また以上の実施の形態においては，支持ローラー１４の両側上方に案内部１５を突設した構成としているので，上述した作業においてハンドリング用シャフト３が支持ローラー１４上から落下するのを防止することができ安全性が高い。
【００３５】
また以上の実施の形態においては，連通部１１の前方側に，運動用空間部１２を隔てて仕切１６を立設しているため，保管部８又は運動用空間部１２内において立った状態のハンドリング用シャフト３が連通部１１の前方側に倒れてしまうのを防止することができ，安全である。
【産業上の利用可能性】
【００３６】
本発明の着脱補助装置は以上のとおり，ロール状物品のコアに対してのハンドリング用シャフトの着脱を人手により行う際の補助機能によって，長尺で重いハンドリング用シャフトの着脱作業における労力的な負担を軽減することができると共に，ハンドリング用シャフトによるコアの損傷や切り屑の発生を防止することができ，ロール状物品の品質に悪影響を与えないという効果がある。
【００３７】
しかも本発明では，このようにハンドリング用シャフトをロール状物品のコアに対して着脱する際の人手による作業を補助する着脱補助装置が，ハンドリング用シャフトの保管機能を有すると共に，ハンドリング用シャフトの移動手段としての機能を有するため，更に作業員に対しての労力的負担を軽減すると共に，ハンドリング用シャフトの保管や移動を，極めて合理的に行えるという効果があり，産業上の利用可能性が大である。
【図面の簡単な説明】
【００３８】
【図１】本発明の着脱補助装置を適用するロール状物品のハンドリング方法を模式的に示すもので，（ａ）は一部を縦断面とした説明図，（ｂ）は（ａ）のＡ−Ａ線断面図である。
【図２】本発明に係る着脱補助装置の一例を示す斜視図である。
【図３】本発明に係る着脱補助装置の一例を示す正面図である。
【図４】本発明に係る着脱補助装置の一例を示す右側面図である。
【図５】本発明に係る着脱補助装置の一例を示す平面図である。
【図６】本発明に係る着脱補助装置の使用状態の一局面を示す正面図である。
【図７】図６の要部の拡大説明的断面図である。
【図８】図７のＢ−Ｂ線断面図である。
【図９】図６の局面の平面図である。
【図１０】本発明に係る着脱補助装置の使用状態の他の局面を示す正面図である。
【図１１】本発明に係る着脱補助装置の使用状態の更に他の局面を示す正面図である。
【図１２】本発明に係る着脱補助装置の使用状態の更に他の局面を示す正面図である。
【図１３】本発明に係る着脱補助装置の使用状態の更に他の局面を示す正面図である。
【符号の説明】
【００３９】
１          ロール状物品
２          コア
３          ハンドリング用シャフト
４          ハンドリング手段
５          台車
６          車輪（キャスター）
７，１６    仕切
８          保管部
９          フレーム
１０        網
１１        連通部
１２        運動用空間部
１３        フレーム
１４        支持ローラー
１５        案内部
１６        仕切
１７        搬送手段等
１８        端部
１９        端部支持台車
２０        台車部
２１        クランプ
２２        基体
２３        ボールキャスター
２４        作業員
【図１】
2007284175.tif 000003
【図２】
2007284175.tif 000004
【図３】
2007284175.tif 000005
【図４】
2007284175.tif 000006
【図５】
2007284175.tif 000007
【図６】
2007284175.tif 000008
【図７】
2007284175.tif 000009
【図８】
2007284175.tif 000010
【図９】
2007284175.tif 000011
【図１０】
2007284175.tif 000012
【図１１】
2007284175.tif 000013
【図１２】
2007284175.tif 000014
【図１３】
2007284175.tif 000015